(57)【特許請求の範囲】
【請求項１】
吸着剤及び該吸着剤を冷却或いは加熱するための熱交換流路を有した吸着器を備え、該熱交換流路への加熱流体と冷却流体との供給を交互に切り替えて、該吸着剤に冷媒蒸気の脱着と吸着とを交互に行わせる吸着式冷凍装置において、
前記吸着器が少なくとも２個設けられていて、それぞれ加熱流体と冷却流体の供給を、前記吸着器の入口側と出口側のそれぞれの切替弁によって切り替え可能であり、冷媒蒸気の脱着と吸着とを切り替える際に、前記出口側切替弁の下流側での加熱流体と冷却流体の温度を検知し、前記入口側切替弁の切り替え後に、両者の温度が略等しくなるタイミングで前記出口側切替弁を切り替えることを特徴とする吸着式冷凍装置。
【請求項２】
前記出口側切替弁の下流側での加熱流体と冷却流体の温度検知に代えて、前記出口側切替弁の上流側で両者の流体の温度を検知することを特徴とする請求項１に記載の吸着式冷凍装置。
【請求項３】
吸着器の加熱流体と冷却流体との供給を交互に切り替えて、吸着剤に冷媒蒸気の脱着と吸着とを交互に行わせる吸着式冷凍装置において、該吸着式冷凍装置が、
液冷媒及び蒸発した蒸気冷媒を吸着する吸着剤とを含む第１と第２の吸着器と、
前記第１と第２の吸着器内にそれぞれ設けられた、液冷媒と熱交換媒体（高温流体と低温流体）と熱交換を行う第１と第２の下側熱交換器、及び前記吸着剤と熱交換媒体（加熱流体と冷却流体）と熱交換を行う第１と第２の上側熱交換器と、
前記加熱流体と前記冷却流体の前記第１と第２の上側熱交換器への流路の切り替えを行う入口側第１切替弁と出口側第２切替弁と、
前記高温流体と前記低温流体の前記第１と第２の下側熱交換器への流路の切り替えを行う入口側第３切替弁と出口側第４切替弁と、
を備えていて、
前記第１の吸着器が吸着剤の吸着作用を行い、前記第２の吸着器が吸着剤の脱着作用を行う第１の状態から、前記第２の吸着器が吸着剤の吸着作用を行い、前記第１の吸着器が吸着剤の脱着作用を行う第２の状態に切り替える際に、前記出口側第２切替弁の下流側での前記加熱流体と前記冷却流体の温度、及び前記出口側第４切替弁の下流側での前記高温流体と前記低温流体の温度を検知し、前記入口側第１と第３切替弁を切り替え後に、前記加熱流体と前記冷却流体並びに前記高温流体と前記低温流体の温度がそれぞれ略等しくなるタイミングで、それぞれの前記出口側第２切替弁及び前記出口側第４切替弁を切り替えることを特徴とする吸着式冷凍装置。
【請求項４】
前記出口側第２、第４切替弁の下流側でのそれぞれの流体の温度の検知に代えて、前記出口側第２、第４切替弁の上流側でそれぞれの流体の温度を検知することを特徴とする請求項３に記載の吸着式冷凍装置。
【請求項５】
前記冷却流体の流通系路内に設置される放熱器と、前記高温流体の流通系路内に設置される放熱器とを一つの放熱器で共用で使用することを特徴とする請求項３又は４に記載の吸着式冷凍装置。
【発明の詳細な説明】
【０００１】
【発明の属する技術分野】
本発明は、吸着剤およびこの吸着剤を冷却或いは加熱するための熱交換流路を有した吸着器を備え、この熱交換流路への加熱流体と冷却流体との供給を交互に切り替えて、吸着剤に冷媒蒸気の脱着と吸着を交互に行わせる吸着式冷凍装置に関する。
【０００２】
【従来の技術】
従来技術として、特開平９−１９６４９３号公報に開示された吸着式冷凍装置が知られている。これは、吸着剤を備えた吸着器への加熱流体と冷却流体との供給を交互に切り替えて吸着剤に冷媒蒸気の脱着と吸着とを交互に行わせる吸着式冷凍装置において、その加熱流体の供給から冷却流体の供給に切り替える際、熱交換流路内に残っている加熱流体が冷却流体供給路に流入することを防止するために、入口側切替弁の切り替え後、熱交換流路内の加熱流体が冷却流体に押し流される分の時間遅れて出口側切替弁を切り替えるように構成している。
【０００３】
しかしながら、この従来の吸着式冷凍装置では、熱交換器や吸着剤の熱容量のために、入口側切替弁と出口側切替弁の作動の時間差が、熱交換流路内の加熱流体が冷却流体に押し流される分の遅れだけでは足りず、冷却流体は熱交換器や吸着剤の熱容量分加熱されて冷却流体流路に流入し、同様に加熱流体は熱交換器や吸着剤の熱容量分冷却されて加熱流体流路に流入してしまうという現象が起き、加熱流体・冷却流体の温度が大きく変動するため、吸脱着切替時に吸着能力・脱着能力が大幅に低下し、ひいては冷凍装置の能力が低下するという問題が生じている。
【０００４】
また、この冷凍システムを構成する熱交換器や接続配管の形状・長さや、循環ポンプの能力・運転条件などが変わると、加熱流体・冷却流体の流量が変わってしまうために、流量条件によって入口側切替弁と出口側切替弁の作動の最適な時間差が変化してしまうという問題もある。
【０００５】
【発明が解決しようとする課題】
本発明は、上記問題に鑑みなされたもので、その目的は、冷媒蒸気の脱着と吸着とを切り替える際に、熱交換媒体（加熱流体と冷却流体）の温度変動を最小にして、切替時の冷凍能力の低下を最小限に抑えることができる吸着式冷凍装置を提供することである。
【０００６】
【課題を解決するための手段】
本発明は、前記課題を解決するための手段として、特許請求の範囲の各請求項に記載された吸着式冷凍装置を提供する。
請求項１に記載の吸着式冷凍装置は、吸着器が少なくとも２つ設けられていて、各々の吸着器における冷媒蒸気の脱着と吸着とを切り替える際に、吸着器への出口側の切替弁の下流側での加熱流体と冷却流体の温度を検知して、入口側切替弁の切替動作後に、加熱流体と冷却流体の温度が略等しくなるタイミングで出口側切替弁の切替動作を行うようにしたものであり、これにより、加熱流体と冷却流体の温度変動を最小にし、脱・吸着切替時の冷凍能力の低下を最小限に抑え、冷凍装置の能力を高めることができる。
【０００７】
請求項２の吸着式冷凍装置は、出口側切替弁の下流側での加熱流体と冷却流体の温度を検知するのに代えて、出口側切替弁の上流側で加熱流体と冷却流体の温度を検知するようにしたものであり、この場合においても、請求項１と同様の作用効果を奏する。
請求項３に記載の吸着式冷凍装置は、液冷媒及び蒸発した蒸気冷媒を吸着する吸着剤とを含む第１と第２の吸着器と、これらの吸着器内にそれぞれ設けられた、液冷媒と熱交換媒体（高温流体と低温流体）と熱交換を行う下側熱交換器、及び吸着剤と熱交換媒体（加熱流体と冷却流体）と熱交換を行う上側熱交換器と、加熱流体と冷却流体のこれらの上側熱交換器への流路の切り替えを行う入口側切替弁と出口側切替弁と、高温流体と低温流体のこれらの下側熱交換器への流路の切り替えを行う入口側切替弁と出口側切替弁とを備えていて、一方の吸着器が吸着剤の吸着作用を行い、他方の吸着器が吸着剤の脱着作用を行う第１の状態から、一方の吸着器が脱着作用を行い、他方の吸着器が吸着作用を行う第２の状態へ切り替える際に、加熱流体と冷却流体及び高温流体と低温流体のそれぞれの入口側切替弁を切り替えた後に、出口側切替弁の下流側での加熱流体と冷却流体及び高温流体と低温流体のそれぞれの両者の流体温度が略等しくなるタイミングで、それぞれの出口側切替弁を切替作動させるようにしたものである。これにより、加熱流体と冷却流体並びに高温流体と低温流体の各々の温度変動を最小にして、脱・吸着切替時の冷凍能力の低下を最小限に抑えることができる。
【０００８】
請求項４の吸着式冷凍装置は、出口側切替弁の下流側でそれぞれの流体の温度を検知していたのに代えて、出口側切替弁の上流側でそれぞれの流体の温度を検知するようにしたものであり、この場合においても、請求項３のものと同様の作用効果を奏する。
請求項５の吸着式冷凍装置は、冷却流体の流通系路内に設置される放熱器と、高温流体の流通系路内に設置される放熱器とを一つの放熱器で共用で使用するようにしたものであり、これにより、システムのコンパクト化が図れる。
【０００９】
【発明の実施の形態】
以下、図面に従って本発明の実施の形態の吸着式冷凍装置について説明する。図１〜４において、本発明の実施の形態の吸着式冷凍装置１の全体のシステム構成が、点線の枠で示され、互いに異なる状態にして示されている。吸着式冷凍装置１は、略真空に保たれた容器（吸着器）内の液冷媒（水など）の蒸発により冷凍能力を発揮する吸着式冷凍機であり、この吸着式冷凍装置１内には、図に示すように液冷媒および蒸発した蒸気冷媒を吸着する吸着剤の入った第１吸着器２ａと第２吸着器２ｂとが設けられており、それぞれの吸着器２ａ，２ｂ内には、液冷媒Ｌr と熱交換媒体（水など）と熱交換を行う第１下側熱交換器３ａと第２下側熱交換器３ｂ、および吸着剤と熱交換媒体と熱交換を行う第１上側熱交換器４ａと第２上側熱交換器４ｂとが設けられている。なお、冷媒として例えば水が使用され、吸着剤として例えばシリカゲル、ゼオライト、活性炭、活性アルミナ等が使用されている。
【００１０】
第１、第２吸着器２ａ，２ｂ内の第１、第２下側熱交換器３ａ，３ｂには、液冷媒Ｌr の蒸発により冷却され、室内熱交換器７にて室内に吹き出す空気と熱交換された熱交換器媒体と、放熱器６にて外気で冷却された熱交換媒体とが第３、第４四方弁１２，１３により切り替え流通する。一方、第１、第２吸着器２ａ，２ｂ内の第１、第２上側熱交換器４ａ，４ｂには、放熱器５にて外気で冷却された熱交換媒体（冷却流体）と、高温熱交換媒体を供給する熱源（例えばエンジン）８で加熱された熱交換媒体（加熱流体）とが第１、第２四方弁１０，１１により切り替え流通する。
【００１１】
第１〜第４四方弁１０〜１３は、熱交換媒体の循環流路を切り替える四方電磁弁であり、これは三方弁、二方弁でも代用可能である。図において、符号２０〜２３は、熱交換媒体を循環させるポンプであり、３０〜３３は熱交換媒体の温度を検知する温度センサ、例えばサーミスタ、測温抵抗体、熱電対など、である。
【００１２】
本発明においては、第１〜第４四方弁１０〜１３は、図１に示す状態（以下、第１の状態と称する）と図３に示す状態（以下、第２の状態と称する）との間で切り替えられるようになっている。図２は、第１の状態から第２の状態へ移る移行期Ｉの状態を示しており、図４は、第２の状態から第１の状態へ移る移行期IIの状態を示している。
【００１３】
図１の第１の状態においては、熱源８で加熱された加熱流体は第１四方弁１０を通って第２吸着器２ｂの第２上側熱交換器４ｂに入り、そこから第２四方弁１１を通って熱源８に戻る回路と、放熱器５によって冷却された冷却流体が第１四方弁１０を通って第１吸着器２ａの第１上側熱交換器４ａに入り、そこから第２四方弁１１を通って放熱器５に戻る回路と、放熱器６によって冷却された熱交換媒体が第３四方弁１２を通って第２吸着器２ｂの第２下側熱交換器３ｂに入り、そこで加熱されて第４四方弁１３を通って放熱器６に戻る回路と、室内熱交換器７により加熱された熱交換器媒体が第３四方弁１２を通って第１吸着器２ａの第１下側熱交換器３ａに入り、そこで冷却されて第４四方弁１３を通って室内熱交換器７へと戻る回路とが形成される。
【００１４】
図３の第２の状態においては、熱源８で加熱された加熱流体は第１四方弁１０を通って第１吸着器２ａの第１上側熱交換器４ａに入り、そこから第２四方弁１１を通って熱源８に戻る回路と、放熱器５によって冷却された冷却流体が第１四方弁１０を通って第２吸着器２ｂの第２上側熱交換器４ｂに入り、そこから第２四方弁１２を通って放熱器５に戻る回路と、放熱器６によって冷却された熱交換媒体が第３四方弁１２を通って第１吸着器２ａの第１下側熱交換器３ａに入り、そこで加熱されて第４四方弁１３を通って放熱器６に戻る回路と、室内熱交換器７により加熱された熱交換媒体が第３四方弁１２を通って第２吸着器２ｂの第２下側熱交換器３ｂに入り、そこで冷却されて第４四方弁１３を通って室内熱交換器７へと戻る回路とが形成される。
【００１５】
次にその作用について説明する。吸着式冷凍装置１のポンプ２０〜２３を作動させる。図１の第１の状態においては、第１吸着器２ａでは、第１上側熱交換器４ａに放熱器５からの冷却流体が循環することで吸着剤が冷却され、第１吸着器２ａ内の液冷媒が蒸発し、吸着剤に吸着される。このときの蒸発潜熱により第１吸着器２ａ内の第１下側熱交換器３ａで熱交換媒体が冷却され、これを室内熱交換器７に循環させることにより室内を冷房する。
一方、第２吸着器２ｂでは、第２上側熱交換器４ｂに熱源８よりの加熱流体が循環することで吸着剤が加熱され、吸着剤に吸着していた蒸気冷媒が脱着し、凝縮する。このときの凝縮潜熱により、第２吸着器２ｂ内の第２下側熱交換器３ｂにて熱交換媒体が加熱され、これを放熱器６に循環させることにより外気に放熱する。
【００１６】
このような第１の状態が一定時間続くと、第１吸着器２ａ内の吸着剤の吸着能力が低下し、また第２吸着器２ｂの吸着剤の脱着が終了する。そこで、第３図の第２の状態に移行するが、その場合、図２に示すようにまず入口側の四方弁である第１、第３四方弁１０，１２を切り替える。
【００１７】
次いで、第２の状態に移行するために、まず出口側四方弁である第２四方弁１１を切り替えるタイミングについて説明する。第１四方弁１０を切り替えると、図２に示すように熱源８からの加熱流体が第１吸着器２ａの第１上側熱交換器４ａに供給され、この第１上側熱交換器４ａの熱交換流路内に残っている冷却流体が、新らたに供給されてくる加熱流体に押されるようにして流し出される。
一方、放熱器５からの冷却流体が第２吸着器２ｂの第２上側熱交換器４ｂに供給され、この第２上側熱交換器４ｂの熱交換流路内に残っている加熱流体が、新らたに供給されてくる冷却流体に押されるようにして流し出される。
【００１８】
そして第１上側熱交換器４ａの熱交換流路内に残っている冷却流体が流れ出され尽くすと、第２四方弁１１の下流側に配置された温度センサ３１が検知する流体温度が上昇し始めるが、冷却されていた第１吸着器２ａの吸着剤・熱交換器・容器などの熱容量により急激ではなく、或る程度の勾配で上昇する。
同様に第２上側熱交換器４ｂの熱交換流路内に残っている加熱流体が流し出され尽くすと、第２四方弁１１の下流側に配置された温度センサ３０が検知する流体温度が低下し始めるが、加熱されていた第２吸着器２ｂの吸着剤・熱交換器・容器などの熱容量により急激ではなく、或る程度の勾配で低下する。つまり、温度センサ３０，３１が検知する温度差が徐々に小さくなってくる。そこで両者の温度がほぼ等しくなったときに出口側四方弁である第２四方弁１１を切り替える（図３）。
【００１９】
次に、同じく出口側四方弁である第４四方弁１３の切り替えのタイミングについて説明する。入口側四方弁である第３四方弁１２を切り替えると、放熱器６からの高温（外気温度相当）の熱交換媒体（高温流体）が第１吸着器２ａの第１下側熱交換器３ａに供給され、この第１下側熱交換器３ａの熱交換流路内に残っている低温の熱交換媒体（低温流体）が、新らたに供給されてくる高温流体に押されるようにして流し出される。
一方、室内熱交換器７からの低温の熱交換媒体（低温流体）が第２吸着器の第２下側熱交換器３ｂに供給され、この第２下側熱交換器３ｂの熱交換流路内に残っている高温の熱交換媒体（高温流体）が、新らたに供給されてくる低温流体に押されるようにして流し出される。
【００２０】
そして、第１吸着器２ａの第１下側熱交換器３ａの熱交換流路内に残っている低温流体が流し出され尽くすと、出口側四方弁である第４四方弁１３の下流側に配置された温度センサ３３が検知する流体温度が上昇し始めるが、冷却されていた第１吸着器２ａの吸着剤・熱交換器・容器などの熱容量により急激ではなく、或る程度の勾配で上昇する。
同様に第２吸着器２ｂの第２下側熱交換器３ｂの熱交換流路内に残っている高温流体が流し出され尽くすと、第４四方弁の下流側に配置された温度センサ３２が検知する流体温度が低下し始めるが、加熱されていた第２吸着器２ｂの吸着剤・熱交換器・容器などの熱容量により急激ではなく、或る程度の勾配で低下する。つまり、温度センサ３２，３３が検知する温度差が徐々に小さくなってくる。そこで両者の温度がほぼ等しくなったときに、出口側四方弁である第４四方弁１３を切り替える（図３）。
【００２１】
以上のようにして、第１、第２吸着器の吸着側・脱着側が切り替わり、第１の状態から第２の状態（図３）に移行する。この第２の状態が一定時間続くと、第２吸着器２ｂの吸着能力が低下し、また第１吸着器２ａの脱着が終了する。そこで、第１の状態から第２の状態に移行する場合と同様に、図４に示すように、まず入口側四方弁である第１、第３四方弁１０，１２を切り替える。その後、温度センサ３０，３１の温度がほぼ等しくなったときに出口側四方弁である第２四方弁１１を切り替え、温度センサ３２，３３の温度がほぼ等しくなったときに出口側四方弁である第４四方弁１３を切り替える。このようにして、図１に示される第１の状態に戻される。
このように、第１、第２吸着器２ａ，２ｂは、一方が吸着工程を実行するとき、他方は脱着工程を実行するようにして、吸着工程と脱着工程とを交互に繰り返す。
【００２２】
以上説明した本発明の実施の形態の吸着式冷凍装置を使用し、加熱流体の温度が約７０℃、冷却流体の温度が約３０℃の場合で、実験した結果を説明する。
特開平９−１９６４９３号公報の従来の吸着式冷凍装置のように、図２において、第１吸着器２ａの第１上側熱交換器４ａの熱交換流路内に残っている加熱流体が冷却流体によって流し出され尽くしたときに、出口側の第２四方弁１１を切り替えた場合、図５に示すように、温度センサ３０が示す加熱流体の温度は、冷却されていた第１吸着器２ａの熱容量により急激に低下し、同様に温度センサ３１が示す冷却流体の温度は、加熱されていた第２吸着器２ｂの熱容量により、急激に上昇する。実験結果では、温度センサ３０は約７０℃から約３５℃まで低下し、温度センサ３１は約３０℃から約６０℃まで上昇する（図５）。
【００２３】
本発明においては、図２において、第１吸着器２ａの第１上側熱交換器４ａの熱交換流路内に残っている冷却流体が加熱流体によって流し出され尽くし、また第２吸着器２ｂの第２上側熱交換器４ｂの熱交換流路内に残っている加熱流体が冷却流体によって流し出され尽くしても、しばらくそのままの回路状態での加熱・冷却流体の循環を続け、図６に示すように、温度センサ３０の示す温度が低下し、温度センサ３１が示す温度が上昇し、両者の温度がほぼ等しくなったときに出口側の第２四方弁１１を切り替えると、温度センサ３０の示す温度は上昇し、温度センサ３１が示す温度は低下する。実験結果では、温度センサ３０は約７０℃から約４８℃まで低下し、温度センサ３１は約３０℃から約４８℃まで上昇したが、図５に対し温度変動を大幅に小さくすることができる（図６）。
【００２４】
本発明における場合よりも、出口側の第２四方弁１１を切り替えるタイミングをさらに遅くした場合、即ち、入口側の第１四方弁１０の切り替え後、温度センサ３０，３１の温度が逆転後に出口側の第２四方弁１１を切り替えた場合においてもまた、図７に示すように、加熱流体・冷却流体の温度変動が大きくなってしまう。
【００２５】
なお、上述の実験の説明では、出口側の第２四方弁１１の切り替えのタイミングにおける効果について説明したが、出口側の第４四方弁１３の切り替えについても同様に、吸着器の吸・脱着切替時に室内を冷房する低温流体の温度変動を最小に抑える効果がある。このようにして、吸着器の吸・脱着切替時の熱交換媒体の温度変動を最小にすることで、吸・脱着切替時の吸着能力・脱着能力の低下を抑えること、すなわち吸着式冷凍装置の能力を高めることができ、システム全体での熱収支の向上の効果もある。
【００２６】
図８は、本発明の別の実施形態の吸着式冷凍装置の全体システムを示している。本実施形態では、温度センサ３０〜３３の取付位置が前述の実施形態と異なっている以外は、前述の実施形態と同様の構成である。即ち、出口側四方弁である第２四方弁１１及び第４四方弁１３の下流側にそれぞれの温度センサ３０〜３３を設けていたのに代えて、第２、第４四方弁１１，１３の上流側にそれぞれの温度センサ３０〜３３を配置したものである。ただし、温度センサ３０〜３３を出口側の第２、第４四方弁１１，１３の上流側に配置したため、図１の第１の状態と図３の第２の状態とでは、それぞれ検知する熱交換媒体が異なる。例えば、第１の状態では、温度センサ３０は加熱流体の温度を、また温度センサ３１は冷却流体の温度を検知するが、第２の状態では、温度センサ３０は冷却流体の温度を、温度センサ３１は加熱流体の温度をそれぞれ検知する。同様に第１の状態では、温度センサ３２は、高温流体の温度を、また温度センサ３３は低温流体の温度を検知するが、第２の状態では、温度センサ３２は低温流体の温度を、温度センサ３３は高温流体の温度をそれぞれ検知する。
このように温度センサ３０〜３３の設置位置を、出口側の第２、第４四方弁１１，１３の下流側から上流側に変えても、前述の実施形態と同様に吸着器の吸・脱着切替時の熱交換媒体の温度変動を最小にすることができ、吸・脱着切替時の吸着能力・脱着能力の低下を抑えることができる。
【００２７】
図９は、本発明の更に別の実施形態の吸着式冷凍装置の全体システムを示している。本実施形態では、放熱器５，６を上述のように別個に設けたものから、共用して設けたものに変更している。このように放熱器５，６を共用させても、上述の実施形態と同様の作用効果を奏する。
【００２８】
以上説明したように、本発明によれば、吸着器の吸・脱着切替時の熱交換媒体の温度変動を最小にすることで、吸・脱着切替時の吸着能力・脱着能力の低下を抑えることができる。したがって冷凍装置の能力を高めることができ、システム全体での熱収支の向上を図れる。
また、冷凍装置のシステムを構成する熱交換器や接続配管の形状・長さや、循環ポンプの能力・運転条件などが変わると、熱交換媒体の流量が変わってしまうために、流量条件によって入口側四方弁と出口側四方弁の作動の最適な時間差が変化してしまう。しかしながら、本発明では、熱交換媒体の温度検知によって出口側四方弁の作動を制御することにより、設置場所・条件による流量のバラツキがあったり、使用途中に何らかの要因で熱交換媒体の流量が変化したりした場合でも、常に最適なタイミングで出口側四方弁を作動させることができる。
【図面の簡単な説明】
【図１】本発明の実施の形態の吸着式冷凍装置の全体のシステム構成であり、吸着・脱着作用の第１の状態を示している。
【図２】図１の第１の状態から図３の第２の状態へ移行中の吸着式冷凍装置の全体のシステム構成を示している。
【図３】吸着・脱着作用の第２の状態の吸着式冷凍装置の全体のシステム構成を示している。
【図４】第２の状態から第１の状態へ移行中の吸着式冷凍装置の全体のシステム構成を示している。
【図５】入口側切替弁（四方弁）の切替作動後に、熱交換流路内のそれぞれの流体（加熱流体と冷却流体）が入れ替ったところで出口側切替弁（四方弁）を切替作動した場合における加熱流体と冷却流体の温度変化を示すグラフである。
【図６】本発明における、入口側切替弁（四方弁）の切替作動後に、それぞれの流体（加熱流体と冷却流体）の温度を検知する温度センサの温度が略等しくなったところで、出口側切替弁（四方弁）を切替作動した場合における加熱流体と冷却流体の温度変化を示すグラフである。
【図７】入口側切替弁（四方弁）の切替作動後に、それぞれの流体（加熱流体と冷却流体）の温度を検知する温度センサの温度が逆転した後、出口側切替弁（四方弁）を切替作動した場合における加熱流体と冷却流体の温度変化を示すグラフである。
【図８】本発明の別の実施形態の吸着式冷凍装置の全体のシステム構成を示す図である。
【図９】本発明の更に別の実施形態の吸着式冷凍装置の全体のシステム構成を示す図である。
【符号の説明】
１…吸着式冷凍装置
２ａ，２ｂ…吸着器
３ａ，３ｂ…下側熱交換器
４ａ，４ｂ…上側熱交換器
５，６…放熱器
７…室内熱交換器
１０，１２…入口側四方弁（切替弁）
１１，１３…出口側四方弁（切替弁）
２０〜２３…ポンプ
３０〜３３…温度センサ
【図１】
0003991700.tif 000002
【図２】
0003991700.tif 000003
【図３】
0003991700.tif 000004
【図４】
0003991700.tif 000005
【図５】
0003991700.tif 000006
【図６】
0003991700.tif 000007
【図７】
0003991700.tif 000008
【図８】
0003991700.tif 000009
【図９】
0003991700.tif 000010